(57)【要約】【課題】外周面にメス側螺合部を備えるメスコネクタ、および、これを備えないメスコネクタのいずれをも容易かつ確実に接続し得るシリンジを提供すること。【解決手段】シリンジ１は、その先端部に第１のメスコネクタ９および外周面にメス側螺合部を備える第２のメスコネクタを択一的に接続可能であり、外筒とガスケットと押し子とを備えている。外筒の先端部には、外筒本体２１の胴部に対し縮径した口部２２が一体的に設けられ、口部２２の外周部には、口部２２を中心として相対的に回転可能、かつ、口部２２の軸方向に沿って相対的に移動可能にロックアダプタ２３が設けられている。ロックアダプタ２３は、口部２２の先端部に形成されたオステーパ部２２２を第１のメスコネクタ９の内腔部９１に嵌合させる操作を行う際に、邪魔にならない基端側の位置まで退避可能であり、かつ、その退避位置で口部２２に固定されるよう構成されている。【選択図】図３
2004160206.tif 000002
【特許請求の範囲】
【請求項１】
先端部に、第１のメスコネクタおよび外周面にメス側螺合部を備える第２のメスコネクタに択一的に接続可能なシリンジであって、
先端部に前記第１のメスコネクタの内腔部および前記第２のメスコネクタの内腔部に嵌合するオステーパ部を備え、内部に液体が通過可能な流路が形成された口部と、
該口部の外周部に、前記口部の軸方向に沿って相対的に移動可能に設けられ、前記メス側螺合部に螺合するオス側螺合部を内周面に備えるロックアダプタとを有し、
前記ロックアダプタは、前記オステーパ部を前記第１のメスコネクタの内腔部に嵌合させる操作を行う際に、基端側の退避位置まで退避可能であるよう構成されていることを特徴とするシリンジ。
【請求項２】
先端部に、第１のメスコネクタおよび外周面にメス側螺合部を備える第２のメスコネクタに択一的に接続可能なシリンジであって、
先端部に前記第１のメスコネクタの内腔部および前記第２のメスコネクタの内腔部に嵌合するオステーパ部を備え、内部に液体が通過可能な流路が形成された口部と、
該口部の外周部に、前記口部を中心として相対的に回転可能、かつ、前記口部の軸方向に沿って相対的に移動可能に設けられ、前記メス側螺合部に螺合するオス側螺合部を内周面に備えるロックアダプタとを有し、
前記ロックアダプタは、前記オステーパ部を前記第１のメスコネクタの内腔部に嵌合させる操作を行う際に、基端側の退避位置まで退避可能であるよう構成されていることを特徴とするシリンジ。
【請求項３】
前記ロックアダプタが前記退避位置にあるとき、前記オステーパ部は、前記ロックアダプタの先端から７．５ｍｍ以上突出する請求項１または２に記載のシリンジ。
【請求項４】
前記ロックアダプタが前記口部の先端側にあるとき、前記ロックアダプタが前記口部に固定される先端側固定位置を有する請求項１ないし３のいずれかに記載のシリンジ。
【請求項５】
前記退避位置より先端側に、前記ロックアダプタが前記口部を中心として相対的に回転可能な回転可能位置を有し、
前記先端側固定位置は、前記回転可能位置より前記口部の先端側にある請求項４に記載のシリンジ。
【請求項６】
前記ロックアダプタが前記先端側固定位置にあるとき、前記オステーパ部は、前記ロックアダプタの先端から２．１ｍｍ以上突出する請求項４または５に記載のシリンジ。
【請求項７】
前記ロックアダプタは、前記口部の軸方向に沿って相対的に５．４ｍｍ以上移動可能である請求項１ないし６のいずれかに記載のシリンジ。
【請求項８】
前記口部の内径（平均）は、１．２ｍｍ以上である請求項１ないし７のいずれかに記載のシリンジ。
【請求項９】
前記口部の長さは、１６〜２０ｍｍである請求項１ないし８のいずれかに記載のシリンジ。
【請求項１０】
先端部に前記口部および前記ロックアダプタを備える外筒と、該外筒内で摺動し得るガスケットとを有し、
前記ガスケットを前記外筒内の先端に位置させたとき、前記外筒と前記ガスケットとで画成される空間の容積が０．１ｍＬ以下である請求項１ないし９のいずれかに記載のシリンジ。
【発明の詳細な説明】
【技術分野】
【０００１】
本発明は、シリンジに関するものである。
【背景技術】
【０００２】
医療現場では、シリンジ、注射針、カテーテル、輸液セット等の各種医療器具同士を接続して使用することがある。
【０００３】
この接続の方法には、例えば、一方の医療器具の端部に設けられたメスコネクタの内腔部に、他方の医療器具の端部に設けられたオスコネクタが備えるオステーパ部を嵌合させる方法がある。
【０００４】
また、メスコネクタの中には、その外周面にネジ溝（メス側螺合部）が形成されたものがあり、これに対応して、オスコネクタにも、オステーパ部の外周部に、メスコネクタのネジ溝に螺合するネジ山（オス側螺合部）が形成された接続部材が設けられたものがある。これにより、メスコネクタとオスコネクタとの接続をより強固なものとすることができる（例えば、特許文献１参照。）。
【０００５】
ところが、このような構成のオスコネクタでは、接続部材が固定され、オスコネクタの軸方向に沿って相対的に移動不可能となっている（特許文献１の第１図参照）か、または、接続部材がオスコネクタの軸方向に沿って相対的に若干移動可能となっている程度（特許文献１の第２図参照）である。このため、外周面にネジ部が形成されていないメスコネクタをオステーパ部に接続しようとすると、接続部材が邪魔になり、これらの接続を確実に行えない場合がある。
【０００６】
かかる問題点を解決するオスコネクタとして、接続部材をオスコネクタの軸方向に沿って相対的に移動可能とし、オステーパ部全体を露出し得るよう構成したものがある（例えば、特許文献２参照。）。
【０００７】
このオスコネクタでは、所定の操作、すなわち、接続部材（ロックナット部分３）をオステーパ部（雄ルアー部分５）を中心として相対的に所定角度回転させる操作を行うことにより、接続部材をオスコネクタの軸方向に沿って相対的に移動させることができるようになる。そして、接続部材をオステーパ部から離間する方向へ移動させることにより、オステーパ部全体を露出させることができる。なお、ここで使用した符号は、特許文献２に記載の符号である。
【０００８】
ところが、このようなオスコネクタでは、所定の操作を行わない限り、接続部材をオスコネクタの軸方向に沿って相対的に移動させることができないため、オステーパ部を露出させる操作を行うのが極めて煩雑である。
【０００９】
また、接続部材は、オステーパ部を露出させた状態で固定されないので、外周面にネジ溝が形成されていないメスコネクタをオステーパ部に接続する操作を行う際に、接続部材がオスコネクタの軸方向に沿って移動してしまい、やはり、この操作の邪魔となってしまう場合がある。
【００１０】
ところで、医療器具の中でも、特に、シリンジは、頻繁に使用されるものであり、各種医療器具との確実な接続が可能なものが要求されている。
【００１１】
【特許文献１】実公平２−１９３号公報
【特許文献２】特開平７−１４８２７１号公報
【発明の開示】
【発明が解決しようとする課題】
【００１２】
本発明の目的は、外周面にメス側螺合部を備えるメスコネクタ、および、これを備えないメスコネクタのいずれをも容易かつ確実に接続し得るシリンジを提供することにある。
【課題を解決するための手段】
【００１３】
このような目的は、下記（１）〜（１２）の本発明により達成される。
（１）  先端部に、第１のメスコネクタおよび外周面にメス側螺合部を備える第２のメスコネクタに択一的に接続可能なシリンジであって、
先端部に前記第１のメスコネクタの内腔部および前記第２のメスコネクタの内腔部に嵌合するオステーパ部を備え、内部に液体が通過可能な流路が形成された口部と、
該口部の外周部に、前記口部の軸方向に沿って相対的に移動可能に設けられ、前記メス側螺合部に螺合するオス側螺合部を内周面に備えるロックアダプタとを有し、
前記ロックアダプタは、前記オステーパ部を前記第１のメスコネクタの内腔部に嵌合させる操作を行う際に、基端側の退避位置まで退避可能であるよう構成されていることを特徴とするシリンジ。
【００１４】
（２）  先端部に、第１のメスコネクタおよび外周面にメス側螺合部を備える第２のメスコネクタに択一的に接続可能なシリンジであって、
先端部に前記第１のメスコネクタの内腔部および前記第２のメスコネクタの内腔部に嵌合するオステーパ部を備え、内部に液体が通過可能な流路が形成された口部と、
該口部の外周部に、前記口部を中心として相対的に回転可能、かつ、前記口部の軸方向に沿って相対的に移動可能に設けられ、前記メス側螺合部に螺合するオス側螺合部を内周面に備えるロックアダプタとを有し、
前記ロックアダプタは、前記オステーパ部を前記第１のメスコネクタの内腔部に嵌合させる操作を行う際に、基端側の退避位置まで退避可能であるよう構成されていることを特徴とするシリンジ。
【００１５】
（３）  前記退避位置より先端側に、前記ロックアダプタが前記口部を中心として相対的に回転可能な回転可能位置を有する上記（２）に記載のシリンジ。
【００１６】
（４）  前記ロックアダプタは、前記退避位置にあるとき、前記口部に固定されるよう構成されている上記（１）ないし（３）のいずれかに記載のシリンジ。
【００１７】
（５）  前記ロックアダプタが前記退避位置にあるとき、前記オステーパ部は、前記ロックアダプタの先端から７．５ｍｍ以上突出する上記（１）ないし（４）のいずれかに記載のシリンジ。
【００１８】
（６）  前記ロックアダプタが前記口部の先端側にあるとき、前記ロックアダプタが前記口部に固定される先端側固定位置を有する上記（１）ないし（５）のいずれかに記載のシリンジ。
【００１９】
（７）  前記退避位置より先端側に、前記ロックアダプタが前記口部を中心として相対的に回転可能な回転可能位置を有し、
前記先端側固定位置は、前記回転可能位置より前記口部の先端側にある上記（６）に記載のシリンジ。
【００２０】
（８）  前記ロックアダプタが前記先端側固定位置にあるとき、前記オステーパ部は、前記ロックアダプタの先端から２．１ｍｍ以上突出する上記（６）または（７）に記載のシリンジ。
【００２１】
（９）  前記ロックアダプタは、前記口部の軸方向に沿って相対的に５．４ｍｍ以上移動可能である上記（１）ないし（８）のいずれかに記載のシリンジ。
【００２２】
（１０）  前記口部の内径（平均）は、１．２ｍｍ以上である上記（１）ないし（９）のいずれかに記載のシリンジ。
【００２３】
（１１）  前記口部の長さは、１６〜２０ｍｍである上記（１）ないし（１０）のいずれかに記載のシリンジ。
【００２４】
（１２）  先端部に前記口部および前記ロックアダプタを備える外筒と、該外筒内で摺動し得るガスケットとを有し、
前記ガスケットを前記外筒内の先端に位置させたとき、前記外筒と前記ガスケットとで画成される空間の容積が０．１ｍＬ以下である上記（１）ないし（１１）のいずれかに記載のシリンジ。
【発明の効果】
【００２５】
本発明によれば、外周面にメス側螺合部を備えるメスコネクタ、および、これを備えないメスコネクタのいずれをも容易かつ確実に接続し得る。
【００２６】
また、ロックアダプタの口部に対する移動距離や、ロックアダプタが退避位置にあるときのオステーパ部のロックアダプタからの突出長さ等を、適宜設定することにより、オステーパ部を第１のメスコネクタの内腔部に嵌合させる操作をより容易かつ確実に行うことができ、その結果、第１のメスコネクタをより確実に接続し得る。
【００２７】
また、先端側固定位置を設けることにより、第２のメスコネクタの固定をより強固なものとすることができる。
【発明を実施するための最良の形態】
【００２８】
以下、本発明のシリンジを添付図面に示す好適実施例に基づいて詳細に説明する。
＜第１実施形態＞
図１は、本発明のシリンジの第１実施形態の半縦断面図、図２〜図４は、それぞれ、図１に示すシリンジの先端部の部分縦断面図である。なお、説明の都合上、図１〜図４（図５〜図８も同様）の右側を「基端」、左側を「先端」という。
【００２９】
図１に示すシリンジ１は、外筒（シリンジ外筒）２と、外筒２内で摺動し得るガスケット３と、ガスケット３を移動操作する押し子（プランジャロッド）４とを備えている。ガスケット３は、押し子４の先端に連結されている。
【００３０】
外筒２は、有底筒状の外筒本体２１を有し、その先端部には、外筒本体２１の胴部に対し縮径した口部２２が一体的に形成されている。
【００３１】
この口部２２の内部には、液体が通過可能な流路２２１が形成され、外筒本体２１の内腔部（後述する空間２４）と連通している。
【００３２】
この口部２２は、その先端部にオステーパ部２２２を備えており、口部２２の外周部には、ロックアダプタ（接続部材）２３が設けられている。なお、口部２２およびロックアダプタ２３の構成については、後に詳述する。
【００３３】
外筒２（外筒本体２１）の基端外周には、板状のフランジ２５が一体的に形成されている。押し子４を外筒２に対し相対的に移動操作する際などには、このフランジ２５に指を掛けて操作を行うことができる。
【００３４】
外筒２および後述するロックアダプタ２３の構成材料としては、それぞれ、例えば、ポリ塩化ビニル、ポリエチレン、ポリプロピレン、環状ポリオレフィン、ポリスチレン、ポリ−（４−メチルペンテン−１）、ポリカーボネート、アクリル樹脂、アクリロニトリル−ブタジエン−スチレン共重合体、ポリエチレンテレフタレート、ポリエチレンナフタレート等のポリエステル、ブタジエン−スチレン共重合体、ポリアミド（例えば、ナイロン６、ナイロン６・６、ナイロン６・１０、ナイロン１２）、エチレン−ビニルアルコール共重合体、ポリアリルスルホン、ポリエーテルスルホン、メタクリル−スチレン共重合体、ポリアリレート、スチレン−アクリロニトリル共重合体のような各種樹脂が挙げられるが、その中でも、成形が容易であるという点で、ポリプロピレン、環状ポリオレフィン、ポリエステル、ポリ−（４−メチルペンテン−１）のような樹脂が好ましい。
【００３５】
なお、外筒２およびロックアダプタ２３の構成材料は、内部の視認性を確保するために、実質的に透明であるのが好ましい。
【００３６】
また、外筒２の外周面には、目盛り２６が形成されている（図１参照）。これにより、シリンジ１内の液体の液量を把握することができる。
【００３７】
このような外筒２（外筒本体２１）内には、弾性材料で構成されたガスケット３が収納されている。ガスケット３の外周部には、複数のリング状の突部３１、３２が全周にわたって形成されている。この突部３１、３２が外筒２の内周面２０に対し密着しつつ摺動することで、気密性（液密性）をより確実に保持するとともに、摺動性の向上が図れる。
【００３８】
本実施形態では、ガスケット３の長手方向に沿って２つの突部３１、３２が形成されている。すなわち、ガスケット３の基端部と先端部のそれぞれに、突部３１、３２が形成されている。
【００３９】
なお、本発明では、突部３１、３２の形成位置や個数、断面形状等は、これに限定されるものではない。
【００４０】
また、ガスケット３には、その基端面に開放する中空部が形成されている。この中空部には、後述する押し子４のヘッド部が挿入（嵌入）される。
【００４１】
ガスケット３の構成材料としては、特に限定されないが、例えば、天然ゴム、ブチルゴム、イソプレンゴム、ブタジエンゴム、スチレン−ブタジエンゴム、シリコーンゴム、フッ素ゴムのような各種ゴム材料や、ポリウレタン系、ポリエステル系、ポリアミド系、オレフィン系、スチレン系等の各種熱可塑性エラストマー、あるいはそれらの混合物等の弾性材料が挙げられる。
【００４２】
なお、ガスケット３は、例えば、樹脂材料で構成された芯部（図示せず）を有し、この芯部の外周を覆うように弾性材料が配置された構成のものでもよい。この場合には、芯部に、中空部が形成されることとなる。
【００４３】
さらに、ガスケット３の全体または一部が樹脂でラミネートされたものを用いてもよい。ラミネートに用いる樹脂としては、例えば、ポリテトラフルオロエチレン（ＰＴＦＥ）、テトラフルオロエチレン−ペルフルオロエチレン共重合体（ＰＦＡ）、エチレン−テトラフルオロエチレン共重合体（ＥＴＦＥ）、テトラフルオロエチレン−ヘキサフルオロプロピレン共重合体（ＦＥＰ）等のフッ素樹脂や高分子量ポリエチレン等が挙げられる。
【００４４】
このようなガスケット３には、ガスケット３を外筒２内で長手方向に移動操作する押し子４が連結（装着）されている。
【００４５】
押し子４は、主に、横断面が十文字状の板片で構成される本体部４０を有し、その先端には板部材４１が、基端にはフランジ状（板状）の指当て部４２が、それぞれ本体部４０と一体的に形成されている。この指当て部４２を指等で押圧することにより押し子４を先端方向へ移動操作する。
【００４６】
また、本体部４０の先端には、ガスケット３の中空部内に挿入され、ガスケット３と連結されるヘッド部（連結部）が形成されている。このヘッド部をガスケット３の中空部に挿入、嵌合させることにより、ガスケット３と押し子４とが連結される。
【００４７】
押し子４の構成材料としては、例えば、ポリ塩化ビニル、ポリエチレン、ポリプロピレン、ポリスチレン、ポリ−（４−メチルペンテン−１）、ポリカーボネート、アクリル樹脂、アクリロニトリル−ブタジエン−スチレン共重合体、ポリエチレンテレフタレート、ポリエチレンナフタレート等のポリエステル、ブタジエン−スチレン共重合体、ポリアミド（例えば、ナイロン６、ナイロン６・６、ナイロン６・１０、ナイロン１２）のような各種樹脂が挙げられるが、その中でも、成形が容易であるという点で、ポリプロピレン、ポリエステル、ポリ−（４−メチルペンテン−１）のような樹脂が好ましい。
【００４８】
このように、ガスケット３と押し子４との連結が嵌合構造によりなされているため、これらの連結を確実に行うことができ、押し子４の操作に伴いガスケット３と押し子４とが離脱することもなく、また、ガスケット３に対する押し子４の着脱操作も容易に行うことができる。
【００４９】
なお、本発明において、ガスケット３と押し子４との連結構造は、嵌合以外のもの、例えば、接着、融着等の固着、螺合等であってもよい。
【００５０】
このシリンジ１では、ガスケット３と外筒２とで画成される空間２４（口部２２の流路２２１を含む）内に、液体が収納される。空間２４の容積は、特に限定されないが、ガスケット３を移動させ、外筒２内の先端に位置させたときの容積（デッドボリューム）が、０．１ｍＬ以下であるのが好ましく、０．０７ｍＬ以下であるのがより好ましい。これにより、特に、液体として高価な薬液を用いる場合には、高価な薬液を無駄にすることなく、その有効利用を図ることができる。
【００５１】
このようなシリンジ１は、その先端部に、図３に示すような第１のメスコネクタ９、および、図４に示すような外周面にネジ溝（メス側螺合部）１０１が形成された第２のメスコネクタ１０を択一的に接続することができる。以下、この点（特徴）について、詳細に説明する。
【００５２】
前述したように、外筒本体２１の先端部には、口部２２が外筒本体２１と一体的に形成され、口部２２の外周部には、ロックアダプタ２３が設けられている。
【００５３】
口部２２は、その先端部に、外径および内径が先端方向に向かって漸減するオステーパ部２２２を備えている。このオステーパ部２２２は、第１のメスコネクタ９の内腔部９１および第２のメスコネクタ１０の内腔部１０２に嵌合する。
【００５４】
このオステーパ部２２２のテーパの勾配は、特に限定されないが、例えば、４／１００〜８／１００程度とされ、より好ましくは６／１００である。
【００５５】
口部２２の内径（平均）は、特に限定されないが、１．２ｍｍ以上であるのが好ましく、１．５〜２．５ｍｍ程度であるのがより好ましい。また、口部２２の長さ（図２中、長さＬ）も、特に限定されないが、１６〜２０ｍｍ程度であるのが好ましく、１７〜１８．５ｍｍ程度であるのがより好ましい。口部２２の寸法を前記範囲に設定することにより、シリンジ１のデッドボリュームをより少なくすることができる。
【００５６】
ロックアダプタ２３は、口部２２を中心として相対的に回転可能、かつ、口部２２の軸方向に沿って相対的に移動可能とされている。このロックアダプタ２３の内周面には、第２のメスコネクタ１０のネジ溝（メス側螺合部）１０１に螺合するネジ山（オス側螺合部）２３２が形成されている。
【００５７】
また、ロックアダプタ２３の外周面には、その軸方向に沿って、複数のリブ（凸部）２３３が形成されている。このリブ２３３は、ロックアダプタ２３を指等で把持して回転操作する際に、滑るのを防止する機能を有している。
【００５８】
第２のメスコネクタ１０は、その内腔部１０２にオステーパ部２２２が嵌合し、かつ、そのネジ溝１０１にロックアダプタ２３のネジ山２３２が螺合することにより、シリンジ１の先端部に接続される（図４参照）。
【００５９】
一方、第１のメスコネクタ９は、その内腔部９１にオステーパ部２２２が嵌合することにより、シリンジ１の先端部に接続される（図３参照）。ここで、オステーパ部２２２付近の外周部にロックアダプタ２３が存在すると、オステーパ部２２２を第１のメスコネクタ９の内腔部９１に嵌合させる操作を行う際に、ロックアダプタ２３が邪魔になり、その操作を確実に行うことができない場合がある。
【００６０】
そこで、本発明では、オステーパ部２２２を第１のメスコネクタ９の内腔部９１に嵌合させる操作を行う際に、その操作に邪魔にならない基端側の位置までロックアダプタ２３を退避可能とし、かつ、この退避位置（図３に示す位置）で口部２２に固定されるよう構成した。これにより、オステーパ部２２２を第１のメスコネクタ９の内腔部９１へ嵌合させる操作、すなわち、第１のメスコネクタ９をシリンジ１の先端部へ接続する操作を容易かつ確実に行うことができる。
【００６１】
ロックアダプタ２３の基端部内周面には、その中心軸に向かって突出するリング状の突部２３１が形成されており、口部２２の基端側外周面には、その軸方向に沿って外側に向かって突出する複数（本実施形態では、４本）のリブ２２３が形成されている。
【００６２】
退避位置では、ロックアダプタ２３の突部２３１（内周面の一部）が各リブ２２３に圧接することにより、ロックアダプタ２３が口部２２に固定される。すなわち、ロックアダプタ２３は、退避位置において、口部２２に嵌合により固定される。このような構成により、ロックアダプタ２３を口部２２へ固定する操作を確実に行うことができるとともに、これらの固定を解除する操作を行う際には、その解除操作を容易に行うことができる。また、このような構成とすることにより、例えば、リブ２２３の設置数や幅等を適宜設定することにより、ロックアダプタ２３の口部２２への固定力（嵌合力）を容易に調整することができるという利点もある。
【００６３】
また、複数のリブ２２３は、口部２２の周方向に沿って、ほぼ等間隔で設けられている。これにより、ロックアダプタ２３の口部２２の周方向への固定をより均等（均一）に行うことができるので、これらをより安定的に固定することができる。
【００６４】
このようなリブ２２３の先端部は、その高さが先端方向に向かって漸減している。すなわち、リブ２２３の先端面は、傾斜面を構成している。これにより、ロックアダプタ２３を退避位置へ移動させる操作を行う際には、ロックアダプタ２３の突部２３１がリブ２２３の縁部に引っかかることなく、その操作をより円滑に行うことができる。
【００６５】
なお、このような退避位置において、ロックアダプタ２３が固定されないよう構成されていてもよい。
【００６６】
また、退避位置におけるロックアダプタ２３の口部２２に対する固定力は、特に限定されないが、例えば、シリンジ１（口部２２）の先端側を鉛直下方に向けた状態で、ロックアダプタ２３がその自重により移動しない程度またはそれ以上の力とされる。これにより、ロックアダプタ２３が退避位置から容易に移動することを防止することができる。
【００６７】
ロックアダプタ２３が退避位置にあるとき、オステーパ部２２２のロックアダプタ２３の先端からの突出長さ（図３中、長さＡ）は、７．５ｍｍ以上であるのが好ましく、７．５〜９．０ｍｍ程度であるのがより好ましい。突出長さが短すぎると、第１のメスコネクタ９の長さ（全長）等によっては、オステーパ部２２２の第１のメスコネクタ９の内腔部９１への嵌合を確実に行うことができない場合があり、一方、突出長さを前記上限値を超えて長くすると、シリンジ１の全長が大きくなり過ぎ好ましくない。
【００６８】
また、シリンジ１は、この退避位置より先端側に、ロックアダプタ２３が口部２２を中心として回転可能な回転可能位置（図２参照）を有している。すなわち、各図に示すように、口部２２には、リブ２２３が設けられていない部分が存在し、この部分にロックアダプタ２３の突部２３１が位置する状態では、ロックアダプタ２３が口部２２を中心として相対的に回転可能となっている。
【００６９】
さらに、シリンジ１は、この回転可能位置より先端側に、ロックアダプタ２３が口部２２に固定される先端側固定位置（図４参照）を有している。
【００７０】
ロックアダプタ２３が回転可能位置にある状態で、第２のメスコネクタ１０の内腔部１０２にオステーパ部２２２を嵌合させ、ネジ溝１０１にネジ山２３２を螺合させることにより、第２のメスコネクタ１０をシリンジ１の先端部に接続することができるが、さらに、ロックアダプタ２３を先端側固定位置へ移動させ、第２のメスコネクタ１０の基端がロックアダプタ２３のより奥側に位置するようにして、第２のメスコネクタ１０をシリンジ１の先端部に接続すること（図４参照）により、これらの接続をより強固なものとすることができる。
【００７１】
オステーパ部２２２より基端側の口部２２の外周面には、その軸方向に沿って外側に向かって突出する複数（本実施形態では、４本）のリブ２２６が形成されている。
【００７２】
先端側固定位置では、ロックアダプタ２３の突部２３１（内周面の一部）が各リブ２２６に圧接することにより、ロックアダプタ２３が口部２２に固定される。すなわち、ロックアダプタ２３は、先端側固定位置において、口部２２に嵌合により固定される。このような構成により、ロックアダプタ２３を口部２２へ固定する操作を容易かつ確実に行うことができる。また、このような構成とすることにより、例えば、リブ２２６の設置数や幅等を適宜設定することにより、ロックアダプタ２３の口部２２への固定力（嵌合力）を容易に調整することができるという利点もある。
【００７３】
また、複数のリブ２２６は、口部２２の周方向に沿って、ほぼ等間隔で設けられている。これにより、ロックアダプタ２３の口部２２の周方向への固定をより均等（均一）に行うことができるので、これらをより安定的に固定することができる。
【００７４】
このようなリブ２２６の基端部は、その高さが基端方向に向かって漸減している。すなわち、リブ２２６の基端面は、傾斜面を構成している。これにより、ロックアダプタ２３を先端側固定位置へ移動させる操作を行う際には、ロックアダプタ２３の突部２３１がリブ２２６の縁部に引っかかることなく、その操作をより円滑に行うことができる。
【００７５】
また、先端側固定位置におけるロックアダプタ２３の口部２２に対する固定力は、シリンジ１（口部２２）の基端側を鉛直下方に向けた状態で、ロックアダプタ２３がその自重により移動しない程度またはそれ以上の力とされる。
【００７６】
特に、先端側固定位置におけるロックアダプタ２３の口部２２に対する固定力は、第２のメスコネクタ１０をシリンジ１の先端部に接続した状態で、外筒本体２１および第２のメスコネクタ１０をそれぞれ把持して、外筒本体２１を第２のメスコネクタ１０に対し相対的に回転させたとき、外筒本体２１に追従してロックアダプタ２３が回転する程度またはそれ以上の力とするのが好ましい。これにより、シリンジ１の先端部と第２のメスコネクタ１０との接続を解除する操作をより容易に行うことができる。
【００７７】
ロックアダプタ２３が先端側固定位置にあるとき、オステーパ部２２２のロックアダプタ２３の先端からの突出長さ（図４中、長さＢ）は、２．１ｍｍ以上であるのが好ましく、２．１〜３ｍｍ程度であるのがより好ましい。突出長さを前記範囲とすることにより、第２のメスコネクタ１０のシリンジ１の先端部への接続を、より確実に行うことができる。
【００７８】
このようなシリンジ１は、ロックアダプタ２３が退避位置より基端側へ移動するのを規制する移動規制手段５、および、ロックアダプタ２３が口部２２から離脱するのを防止する離脱防止手段６を有している。以下、これらの移動規制手段５および離脱防止手段６について、それぞれ説明する。
【００７９】
口部２２は、その基端部において外径が拡径する拡径部２２４ａを有しており、この拡径部２２４ａの外周面には、リブ２２３に連続して、リブ２２３とほぼ等しい高さを有するリブ２２４ｂが形成されている。拡径部２２４ａの外径は、口部２２の外径より大きいので、リブ２２３とリブ２２４ｂとの境界部分には段差部２２５が形成されている。このため、ロックアダプタ２３を退避位置より基端側へ移動しようとすると、段差部２２５にロックアダプタ２２３の基端が当接し、それ以上、基端側（外筒本体２１側）へ移動するのが規制（阻止）される。
すなわち、本実施形態では、段差部２２５により移動規制手段５が構成されている。
【００８０】
また、口部２２のオステーパ部２２２の基端側（本実施形態では、リブ２２６の先端付近）には、段差部２２７が形成されている。このため、ロックアダプタ２３をシリンジ１の先端側（先端側固定位置より先端側）へ移動しようとすると、段差部２２７にロックアダプタ２２３の突部２３１の先端が当接し、それ以上、先端側へ移動するのが規制（阻止）される。これにより、ロックアダプタ２３が口部２２から離脱するのが防止される。
【００８１】
すなわち、本実施形態では、段差部２２７およびロックアダプタ２３の突部２３１により離脱防止手段６が構成されている。このような離脱防止手段６を設けることにより、シリンジ１の先端部に第２のメスコネクタ１０を接続した状態から、第２のメスコネクタ１０がロックアダプタ２３ごと、口部２２から離脱してしまうのを防止することができる。
【００８２】
このように、ロックアダプタ２３は、その基端が段差部２２５に当接する位置と、突部２３１の先端が段差部２２７に当接する位置との間で、口部２２の軸方向に沿って相対的に移動可能となっている。
【００８３】
この移動距離は、特に限定されないが、５．４ｍｍ以上であるのが好ましく、５．４〜６．９ｍｍ程度であるのがより好ましい。移動距離が短すぎると、ロックアダプタ２３の長さ（全長）等によっては、ロックアダプタ２３を退避位置にしたとき、オステーパ部２２２を十分にロックアダプタ２３から露出させることができない場合があり、一方、突出長さを前記上限値を超えて長くすると、シリンジ１の全長が大きくなり過ぎ好ましくない。
【００８４】
次に、本実施形態におけるシリンジ１の使用方法の一例について説明する。
［１］  第１のメスコネクタ９を接続する場合
まず、ロックアダプタ２３を一方の手で把持し、外筒本体２１を他方の手で把持して、外筒本体２１を固定した状態で、ロックアダプタ２３を外筒本体２１に向かって移動させる。これにより、ロックアダプタ２３は、退避位置に移動する。
【００８５】
退避位置では、ロックアダプタ２３の突部２３１が各リブ２２３に圧接して、ロックアダプタ２３が口部２２に嵌合により固定される。
【００８６】
次に、この状態で、一方の手で第１のメスコネクタ９を把持して、その内腔部９１にシリンジ１のオステーパ部２２２を挿入、嵌合させる。これにより、第１のメスコネクタ９をシリンジ１の先端部に接続することができる。
【００８７】
なお、このとき、ロックアダプタ２３は、退避位置にあるので、邪魔になることなく、オステーパ部２２２を第１のメスコネクタ９の内腔部９１に嵌合させる操作を確実に行うことができる。
【００８８】
［２］  第２のメスコネクタ１０を接続する場合
まず、ロックアダプタ２３をシリンジ１の先端側に移動させて、突起２３１を各リブ２２６に圧接させ、ロックアダプタ２３を口部２２に嵌合固定する。
【００８９】
次に、一方の手でロックアダプタ２３、他方の手で第２のメスコネクタ１０を把持して、第２のメスコネクタ１０の内腔部１０２にシリンジ１のオステーパ部２２２を挿入しつつ、ロックアダプタ２３を回転させる。このとき、ロックアダプタ２３は、口部２２に嵌合固定されているので、ロックアダプタ２３の回転操作を行うと、シリンジ１全体が回転する。これにより、第２のメスコネクタ１０の内腔部１０２にオステーパ部２２２が嵌合するとともに、第２のメスコネクタ１０のネジ溝１０１にロックアダプタ２３のネジ山２３２が螺合して、第２のメスコネクタ１０をシリンジ１の先端部に接続することができる。
【００９０】
＜第２実施形態＞
図５は、本発明のシリンジの第２実施形態の半縦断面図、図６〜図８は、それぞれ、図５に示すシリンジの先端部の部分縦断面図、図９は、図６中のＡ−Ａ線断面図である。
【００９１】
以下、これらの図を参照して本発明のシリンジの第２実施形態について説明するが、前述した第１実施形態との相違点を中心に説明し、同様の事項はその説明を省略する。
【００９２】
本実施形態は、外筒の口部およびロックアダプタの構成が異なることと、ロックアダプタが退避位置で口部に固定されないこと以外は前記第１実施形態と同様である。
【００９３】
図５および図６に示すように、外筒２の口部２２Ａは、その外周面に複数（本実施形態では、４本）のリブ２２８ａおよび突部２２９ａを有している。
【００９４】
このリブ２２８ａは、口部２２Ａの軸方向に沿い、段差部２２５から段差部２２７に渡って、外側に向かって突出して形成されている。
【００９５】
突部２２９ａは、２つの隣り合うリブ２２８ａの間に形成された溝２２８ｂの先端側に、外側に向かって突出して形成されている。
【００９６】
図５および図６に示すように、ロックアダプタ２３Ａは、複数（本実施形態では、４つ）の爪２３４を有している。
【００９７】
この爪２３４は、ロックアダプタ２３Ａの基端部内周面に、ロックアダプタ２３Ａの中心軸に向かって突出して形成されている。
【００９８】
ロックアダプタ２３Ａは、図９に示すように、爪２３４が隣り合うリブ２２８ａの間にあるように、すなわち、爪２３４が溝２２８ｂに収納されて、口部２２Ａに設けられている。
【００９９】
これにより、各リブ２２８ａがそれと隣り合う爪２３４に当接して、ロックアダプタ２３Ａが口部２２Ａを中心として回転するのを規制する。従って、ロックアダプタ２３Ａは、それが移動可能な範囲において、口部２２Ａを中心として回転せずに、口部２２Ａの軸方向に沿って移動可能に設けられている。
【０１００】
このような構成により、外筒２（口部２２Ａ）の構造の簡素化およびロックアダプタ２３Ａの操作の容易化に寄与する。
【０１０１】
図９に示すように、４つのリブ２２８ａ（爪２３４も同様）は、口部２２の周方向に沿って、ほぼ等間隔で設けられているので、ロックアダプタ２３Ａを安定的に規制することができるとともに、ロックアダプタ２３Ａを容易に摺動（移動）させることができる。
【０１０２】
また、シリンジ１は、ロックアダプタ２３Ａが口部２２Ａの先端側にあるとき、ロックアダプタ２３Ａが口部２２Ａに固定される先端側固定位置（図８参照）を有している。
【０１０３】
図６に示すように、突部２２９ａは、その高さが先端方向および基端方向のそれぞれに向かって漸減している。すなわち、突部２２９ａの先端面および基端面は、それぞれ、傾斜面を構成している。
【０１０４】
これにより、ロックアダプタ２３Ａが口部２２Ａの基端側から先端側固定位置に移動する、または先端側固定位置から口部２２Ａの基端側に移動する際には、ロックアダプタ２３Ａの爪２３４が突部２２９ａの縁部に引っかかることなく、その操作をより円滑に行うことができる。
【０１０５】
図８に示すように、先端側固定位置では、爪２３４が段差部２２７と突部２２９ａとの間に形成された固定位置空間２２９ｂに収納されることにより、ロックアダプタ２３Ａが口部２２Ａに固定される。すなわち、ロックアダプタ２３Ａは、先端側固定位置において、爪２３４の口部２２Ａの軸方向への移動が段差部２２７および突部２２９ａにより規制されることにより、口部２２Ａに固定される。また、ロックアダプタ２３Ａは、前述したように、各リブ２２８ａがそれと隣り合う爪２３４に当接することにより、口部２２Ａを中心として回転するのを規制されている。
【０１０６】
このような構成により、ロックアダプタ２３Ａを口部２２Ａへ固定する操作を容易かつ確実に行うことができる。
【０１０７】
なお、リブ２２８ａ（溝２２８ｂ）、突部２２９ａおよび爪２３４の形成数は、それぞれ、４つであるのに限定されず、例えば、２〜３つ、または５つ以上であってもよい。
【０１０８】
また、突部２２９ａの高さおよび爪２３４の高さは、リブ２２８ａの高さ（溝２２８ｂの深さ）と同等かまたはそれより若干低い程度であるのが好ましい。
【０１０９】
また、爪２３４の幅は、溝２２８ｂの幅と同等かまたはそれより若干小さい程度であるのが好ましい。
【０１１０】
次に、本実施形態におけるシリンジ１の使用方法の一例について説明するが、前述と同様、第１実施形態におけるシリンジ１の使用方法の一例相違点を中心に説明し、同様の事項はその説明を省略する。
【０１１１】
［１］  第１のメスコネクタ９を接続する場合
第１実施形態と同様に、ロックアダプタ２３Ａを退避位置に移動させた際、外筒本体２１を他方の手で把持しつつ、ロックアダプタ２３Ａを同じ手で固定する（図７参照）。
以降、第１実施形態と同様である。
【０１１２】
［２］  第２のメスコネクタ１０を接続する場合
まず、ロックアダプタ２３Ａを先端側固定位置に移動させて、ロックアダプタ２３Ａを口部２２Ａに固定する。
【０１１３】
次に、一方の手でシリンジ１、他方の手で第２のメスコネクタ１０を把持して、第２のメスコネクタ１０の内腔部１０２にシリンジ１のオステーパ部２２２を挿入しつつ、シリンジ１を回転させる（図８参照）。このとき、ロックアダプタ２３Ａは、口部２２Ａに一体的に固定されているので、シリンジ１の回転操作を行うと、これに伴って、ロックアダプタ２３Ａが回転する。
以降、第１実施形態と同様である。
【０１１４】
以上、本発明のシリンジを図示の実施形態について説明したが、本発明は、これに限定されるものではなく、例えば、シリンジの各部の構成は、同様の機能を発揮し得る任意のものとすることができる。
【０１１５】
また、例えば、先端側固定位置は、必要に応じて設けるようにすればよく、省略することもできる。
【０１１６】
なお、第２実施形態においても、第１実施形態と同様に、ロックアダプタが退避位置で口部に固定されるよう構成されていてもよい。
【０１１７】
本発明のシリンジは、患者への薬剤投与、輸液ラインや透析回路からの薬液投与、薬液の混合等に使用される一般用シリンジに適用することができるが、その他、シリンジ内に予め薬液が充填（収納）されたプレフィルドシリンジにも適用することができる。
【０１１８】
プレフィルドシリンジの場合、その外筒内には、必要に応じて薬液が収納されている。この薬液中の薬剤の種類は、特に限定されず、例えば、ジアゼパム、ミダゾラム等の鎮静薬、プロフォポール等の静脈麻酔薬、クエン酸フェンタニル、塩酸モルヒネ等の麻酔系鎮痛薬、塩酸メピバカイン、塩酸リドカイン等の局所麻酔薬、塩化スキサメトニウム、臭化パンクロニウム等の非脱分極性筋弛緩薬、エピネフリン、塩酸ドバミン、塩酸ドブタミン等のカテコラミン、塩酸エフェドリン等の昇圧薬、塩酸ニカルジピン、塩酸クロルプロマジン、塩酸プロプラノール等の降圧薬、硝酸イソソルビド、ニトログリセリン等の冠血管拡張薬、フロセミド、アミノフィリン等の利尿薬、硫酸アトロピン等の抗不整脈薬、プロスタグランジンＥ１製剤、アミノフィリン、塩酸エフェドリン等の気管支拡張薬、ファモチジン等の消化性潰瘍用剤、デカン酸ナンドロロン、リン酸デキサメタゾンナトリウム、ベタメタゾン、ヒトインスリン等のホルモン剤、トラキネサム酸等の止血剤、ヘパリンナトリウム等の血液凝固薬、ウリナスタチン等の抗ショック薬、乳酸ビペリデン、レボドパ等の抗パーキンソン剤、ビタミン剤、補正用電解質液、Ｇ−ＣＳＦ製剤、肝臓疾患用剤、エポエチンアルファ等のヒトエリスロポエチン製剤、エルカトニン等の骨粗鬆症治療剤、合成サケカルシトニン製剤、多価・酵素阻害剤、パクリタキセル、カルボプラチン、シスプラチン、エトポシド等の抗悪性腫瘍用薬、ｄ−マレイン酸クロルフェニラミン等の抗アレルギー薬、抗生物質製剤、抗結核剤、化学療法剤、Ｂ型肝炎ワクチン等いかなるものでもよい。
【図面の簡単な説明】
【０１１９】
【図１】本発明のシリンジの第１実施形態の半縦断面図である。
【図２】図１に示すシリンジの先端部の部分縦断面図（ロックアダプタが回転可能位置にある状態を示す）である。
【図３】図１に示すシリンジの先端部の部分縦断面図（ロックアダプタが退避位置にあり、第１のメスコネクタを接続した状態を示す）である。
【図４】図１に示すシリンジの先端部の部分縦断面図（ロックアダプタが先端側固定位置にあり、第２のメスコネクタを接続した状態を示す）である。
【図５】本発明のシリンジの第２実施形態の半縦断面図である。
【図６】図１に示すシリンジの先端部の部分縦断面図（ロックアダプタが回転可能位置にある状態を示す）である。
【図７】図１に示すシリンジの先端部の部分縦断面図（ロックアダプタが退避位置にあり、第１のメスコネクタを接続した状態を示す）である。
【図８】図１に示すシリンジの先端部の部分縦断面図（ロックアダプタが先端側固定位置にあり、第２のメスコネクタを接続した状態を示す）である。
【図９】図６中のＡ−Ａ線断面図である。
【符号の説明】
【０１２０】
１            シリンジ
２            外筒
２０          内周面
２１          外筒本体
２２、２２Ａ  口部
２２１        流路
２２２        オステーパ部
２２３        リブ
２２４ａ      拡径部
２２４ｂ      リブ
２２５        段差部
２２６        リブ
２２７        段差部
２２８ａ      リブ
２２８ｂ      溝
２２９ａ      突部
２２９ｂ      固定位置空間
２３、２３Ａ  ロックアダプタ
２３１        突部
２３２        ネジ山
２３３        リブ
２３４        爪
２４          空間
２５          フランジ
２６          目盛り
３            ガスケット
３１、３２    突部
４            押し子
４０          本体部
４１          板部材
４２          指当て部
５            移動規制手段
６            離脱防止手段
９            第１のメスコネクタ
９１          内腔部
１０          第２のメスコネクタ
１０１        ネジ溝
１０２        内腔部
【図１】
2004160206.tif 000003
【図２】
2004160206.tif 000004
【図３】
2004160206.tif 000005
【図４】
2004160206.tif 000006
【図５】
2004160206.tif 000007
【図６】
2004160206.tif 000008
【図７】
2004160206.tif 000009
【図８】
2004160206.tif 000010
【図９】
2004160206.tif 000011